(57)【要約】【課題】部材に対する複数の取付態様に対応することができるコネクタを得る。【解決手段】実施形態のコネクタ１は、ボディー２と、ボディー２に支持された端子部材５と、ボディー２から第１方向Ｄ１に突出した四つの脚部６Ａ，６Ｃと、を備えている。四つの脚部６Ａ，６Ｃは、第１方向Ｄ１からの視線で、それぞれが四角形の四つの頂点に位置するように設けられている。四角形のある辺の両端部に位置する二つの脚部６Ａのそれぞれに、第１方向Ｄ１を向いた部分６ａｂを有した段部６ａが設けられている。【選択図】図２
2020136221.tif 000002
【特許請求の範囲】
【請求項１】
他のコネクタが装着されるボディーと、
前記ボディーに支持され前記他のコネクタと電気的に接続される端子部材と、
前記ボディーから第１方向に突出した四つの脚部と、
を備え、
前記四つの脚部は、前記第１方向からの視線で、それぞれが四角形の四つの頂点に位置するように設けられ、
前記四角形のある辺の両端部に位置する二つの前記脚部である二つの第１脚部のそれぞれに、前記第１方向を向いた部分を有した段部が設けられた、コネクタ。
【請求項２】
前記ボディーは、第１端部と、前記第１端部の反対側の第２端部と、を有し、当該ボディーには、前記第１端部から前記第２端部に向かう装着方向に沿って前記第１端部から前記第２端部へ向かって移動する前記他のコネクタが装着され、
前記第１方向は、前記装着方向と交差する前記ボディーの幅方向および前記装着方向と交差し、
前記二つの第１脚部は、前記ボディーの幅方向に互いに間隔を空けて並び、
前記四つの脚部のうち前記二つの第１脚部以外の二つの前記脚部である二つの第２脚部は、前記二つの第１脚部よりも前記装着方向に位置し、前記幅方向に互いに間隔を空けて並んだ、請求項１に記載のコネクタ。
【請求項３】
前記二つの第１脚部は、それぞれ、前記段部を含み前記ボディーと接続された第１部分と、前記第１部分の前記第１方向の端部から前記第１方向に突出した第２部分と、を有した、請求項２に記載のコネクタ。
【請求項４】
前記段部は、少なくとも前記第２部分の前記装着方向側に設けられた、請求項３に記載のコネクタ。
【請求項５】
請求項１〜４のうちいずれか一つに記載のコネクタと、
前記コネクタが取り付けられた一面を有し、前記一面に開口し前記四つの脚部が入れられた四つの孔が設けられた部材と、
を備えた電子機器。
【請求項６】
前記コネクタは、請求項２〜４のうちいずれか一つに記載のコネクタであり、
前記段部の前記部分が前記一面に支持され、前記装着方向の反対方向に向かうにつれて前記ボディーが前記一面から遠ざかるように前記コネクタが前記一面に取り付けられた、請求項５に記載の電子機器。
【請求項７】
前記コネクタは、請求項２〜４のうちいずれか一つに記載のコネクタであり、
前記段部の前記部分が前記一面に支持され、前記装着方向と前記部材の厚さ方向とが直交するように前記コネクタが前記一面に取り付けられた、請求項５に記載の電子機器。
【請求項８】
前記二つの第１脚部が入れられた二つの前記孔である第１孔と、前記二つの第２脚部が入れられた前記二つの孔である二つの第２孔とは、前記一面に沿いかつ前記幅方向と交差する第２方向に間隔をあけて並び、
前記第２方向における前記第１孔の長さは、前記第２方向における前記第２孔の長さよりも短い、請求項５〜７のうちいずれか一つに記載の電子機器。
【発明の詳細な説明】
【技術分野】
【０００１】
本発明は、コネクタおよび電子機器に関する。
【背景技術】
【０００２】
従来、コネクタと、コネクタが固定された基板等の部材と、を備えた電子機器が知られている。
【先行技術文献】
【特許文献】
【０００３】
【特許文献１】特開２０１３−１８７８５８号公報
【発明の概要】
【発明が解決しようとする課題】
【０００４】
この種のコネクタでは、例えば、部材に対する複数の取付態様に対応することができる構成が得られれば、有益である。
【０００５】
そこで、本発明の課題の一つは、部材に対する複数の取付態様に対応することができるコネクタとこのコネクタを備えた電子機器を得ることである。
【課題を解決するための手段】
【０００６】
本発明の第１態様にかかるコネクタは、例えば、他のコネクタが装着されるボディーと、前記ボディーに支持され前記他のコネクタと電気的に接続される端子部材と、前記ボディーから第１方向に突出した四つの脚部と、を備え、前記四つの脚部は、前記第１方向からの視線で、それぞれが四角形の四つの頂点に位置するように設けられ、前記四角形のある辺の両端部に位置する二つの前記脚部である二つの第１脚部のそれぞれに、前記第１方向を向いた部分を有した段部が設けられている。
【０００７】
前記コネクタでは、例えば、前記ボディーは、第１端部と、前記第１端部の反対側の第２端部と、を有し、当該ボディーには、前記第１端部から前記第２端部に向かう装着方向に沿って前記第１端部から前記第２端部へ向かって移動する前記他のコネクタが装着され、前記第１方向は、前記装着方向と交差する前記ボディーの幅方向および前記装着方向と交差し、前記二つの第１脚部は、前記ボディーの幅方向に互いに間隔を空けて並び、前記四つの脚部のうち前記二つの第１脚部以外の二つの前記脚部である二つの第２脚部は、前記二つの第１脚部よりも前記装着方向に位置し、前記幅方向に互いに間隔を空けて並んでいる。
【０００８】
前記コネクタでは、例えば、前記二つの第１脚部は、それぞれ、前記段部を含み前記ボディーと接続された第１部分と、前記第１部分の前記第１方向の端部から前記第１方向に突出した第２部分と、を有している。
【０００９】
前記コネクタでは、例えば、前記段部は、少なくとも前記第２部分の前記装着方向側に設けられている。
【００１０】
本発明の第２態様にかかる電子機器は、例えば、上記コネクタと、前記コネクタが取り付けられた一面を有し、前記一面に開口し前記四つの脚部が入れられた四つの孔が設けられた部材と、を備えている。
【００１１】
前記電子機器では、例えば、前記段部の前記部分が前記一面に支持され、前記装着方向の反対方向に向かうにつれて前記ボディーが前記一面から遠ざかるように前記コネクタが前記一面に取り付けられている。
【００１２】
前記電子機器では、例えば、前記段部の前記部分が前記一面に支持され、前記装着方向と前記部材の厚さ方向とが直交するように前記コネクタが前記一面に取り付けられている。
【００１３】
前記電子機器では、例えば、前記二つの第１脚部が入れられた二つの前記孔である第１孔と、前記二つの第２脚部が入れられた前記二つの孔である二つの第２孔とは、前記一面に沿いかつ前記幅方向と交差する第２方向に間隔をあけて並び、前記第２方向における前記第１孔の長さは、前記第２方向における前記第２孔の長さよりも短い。
【発明の効果】
【００１４】
本発明の上記態様によれば、部材に対する複数の取付態様に対応することができるコネクタとこのコネクタを備えた電子機器を得ることができる。
【図面の簡単な説明】
【００１５】
【図１】図１は、実施形態のコネクタの例示的な正面図である。
【図２】図２は、実施形態のコネクタの例示的な一方の側面図である。
【図３】図３は、実施形態のコネクタの例示的な他方の側面図である。
【図４】図４は、実施形態のコネクタの例示的な底面図である。
【図５】図５は、実施形態のコネクタの例示的な平面図である。
【図６】図６は、実施形態のコネクタの例示的な背面図である。
【図７】図７は、実施形態の電子機器の正面側からの例示的な斜視図であって、ディスプレイ部が展開位置に位置された状態の図である。
【図８】図８は、実施形態の電子機器の例示的な側面図であって、ディスプレイ部が閉じ位置に位置された状態の図である。
【図９】図９は、実施形態の電子機器における基板に対するコネクタの第１取付態様を例示的に示す図である。
【図１０】図１０は、実施形態の電子機器における基板に対するコネクタの第２取付態様を例示的に示す図である。
【図１１】図１１は、実施形態の電子機器における基板の例示的な平面図である。
【発明を実施するための形態】
【００１６】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果のうち少なくとも一つを得ることが可能である。
【００１７】
なお、本明細書では、序数は、部品や、部材、部位、位置、方向等を区別するためだけに用いられており、順番や優先度を示すものではない。
【００１８】
＜コネクタ＞
図１は、実施形態のコネクタ１の例示的な正面図である。図２は、実施形態のコネクタ１の例示的な一方の側面図である。図３は、実施形態のコネクタ１の例示的な他方の側面図である。図４は、実施形態のコネクタ１の例示的な底面図である。図５は、実施形態のコネクタ１の例示的な平面図である。図６は、実施形態のコネクタ１の例示的な背面図である。
【００１９】
図１〜図６に示されるように、コネクタ１は、ボディー２と、複数の端子部材５と、四つの脚部６Ａ，６Ｂ，６Ｃ，６Ｄと、を備えている。コネクタ１は、例えばＵＳＢ（Universal  Serial  Bus）コネクタである。なお、コネクタ１は、ＵＳＢコネクタに限定されず、ＵＳＢコネクタ以外のコネクタであってもよい。コネクタ１には、外部コネクタ５００（図７）が嵌め合いによって装着される。
【００２０】
ボディー２は、シェル３と、シェル３に固定された絶縁部材４と、を有している。シェル３は、第１端部３ａと、第１端部３ａの反対側の第２端部３ｂと、を有している。シェル３の第１端部３ａおよび第２端部３ｂは、それぞれ、ボディー２の第１端部および第２端部でもある。ボディー２には、収容部３ｃが設けられている。収容部３ｃは、第１端部３ａに開口している。収容部３ｃは、開口部とも称される。第１端部３ａから、シェル３内すなわち収容部３ｃに外部コネクタ５００が装着される。第１端部３ａから第２端部３ｂに向かう方向が、コネクタ１対する外部コネクタ５００の装着方向Ｄである。装着方向Ｄは、挿入方向とも称される。
【００２１】
シェル３は、底壁部３ｄと、天壁部３ｅと、二つの側壁部３ｆ，３ｇと、を有している。底壁部３ｄと天壁部３ｅとは、ボディー２の高さ方向（厚さ方向）に間隔を空けて並び、二つの側壁部３ｆ，３ｇは、ボディー２の幅方向Ｗに間隔を空けて並んでいる。底壁部３ｄ、天壁部３ｅ、および二つの側壁部３ｆ，３ｇは、収容部３ｃを形成している。別の言い方をすると、底壁部３ｄ、天壁部３ｅ、および二つの側壁部３ｆ，３ｇは、収容部３ｃに面して収容部３ｃを囲っている。天壁部３ｅおよび二つの側壁部３ｆ，３ｇには、爪３ｈが設けられている。シェル３は、例えば金属材料によって構成されている。
【００２２】
図１に示されるように、絶縁部材４は、収容部３ｃ内に位置している。絶縁部材４は、合成樹脂材料等の絶縁材料によって構成され、絶縁性を有している。
【００２３】
図１〜図６に示されるように、複数の端子部材５は、絶縁部材４に固定されている。複数の端子部材５の一部は、絶縁部材４とともに収容部３ｃ内に位置し、複数の端子部材５の別の一部は、ボディー２の第２端部３ｂから第１方向Ｄ１に延びて、ボディー２の外側に位置している。第１方向Ｄ１は、ボディー２の幅方向Ｗおよび装着方向Ｄと交差（直交）する方向であって、天壁部３ｅから底壁部３ｄに向かう方向である。複数の端子部材５は、ボディー２の幅方向Ｗに互いに間隔を空けて並んでいる。端子部材５は、導電性材料によって構成されている。
【００２４】
図１〜図３に示されるように、四つの脚部６Ａ，６Ｂ，６Ｃ，６Ｄは、ボディー２から第１方向Ｄ１に突出している。図２に示されるように、二つの脚部６Ａ，６Ｄは、側壁部３ｆと接続され、図３に示されるように、二つの脚部６Ｂ，６Ｄは、側壁部３ｇと接続されている。図１および図４に示されるように、二つの脚部６Ａ，６Ｂは、ボディー２の幅方向Ｗに互いに間隔を空けて並んでいる。また、図４および図６に示されるように、二つの脚部６Ｃ，６Ｄは、ボディー２の幅方向Ｗに互いに間隔を空けて並んでいる。図２〜図４に示されるように、二つの脚部６Ａ，６Ｂの装着方向Ｄ側に二つの脚部６Ｃ，６Ｄが位置している。すなわち、四つの脚部６Ａ，６Ｂ，６Ｃ，６Ｄのうち二つの脚部６Ａ，６Ｂ以外の二つの脚部６Ｃ，６Ｄは、二つの脚部６Ａ，６Ｂよりも装着方向Ｄに位置している。
【００２５】
詳細には、図４に示されるように、四つの脚部６Ａ，６Ｂ，６Ｃ，６Ｄは、第１方向Ｄ１からの視線で、それぞれが四角形Ｑの四つの頂点Ｑａ，Ｑｂ，Ｑｃ，Ｑｄに位置するように設けられている。第１方向Ｄ１からの視線は、換言すると、第１方向Ｄ１から見た場合である。ここで、四角形Ｑは、四つの辺Ｑｅ，Ｑｆ，Ｑｇ，Ｑｈを有している。辺Ｑｅ，Ｑｇは、ボディー２の幅方向Ｗに延び、辺Ｑｅの第１方向Ｄ１に辺Ｑｇが位置している。辺Ｑｅの両端部（頂点Ｑａ，Ｑｂ）に脚部６Ａ，６Ｂが位置し、辺Ｑｇの両端部（頂点Ｑｃ，Ｑｄ）に脚部６Ｃ，６Ｄが位置している。また、辺Ｑｆ，Ｑｈは、装着方向Ｄに延び、互いにボディー２の幅方向Ｗに間隔を空けて位置している。二つの脚部６Ａ，６Ｂの第１方向Ｄ１に二つの脚部６Ｃ，６Ｄが位置している。二つの脚部６Ａ，６Ｂは、それぞれ第１脚部の一例であり、二つの脚部６Ｃ，６Ｄは、第２脚部の一例である。
【００２６】
図１〜図４に示されるように、四つの脚部６Ａ，６Ｂ，６Ｃ，６Ｄは、それぞれ、厚さ方向がボディー２の幅方向Ｗに沿う板状に形成されている。
【００２７】
図２および図３に示されるように、二つの脚部６Ａ，６Ｂのそれぞれには、段部６ａが設けられている。段部６ａは、第１方向Ｄ１を向いた端面６ａａを有している。端面６ａａは、第１方向Ｄ１を向いた部分の一例である。
【００２８】
二つの脚部６Ａ，６Ｂは、それぞれ、段部６ａを含んだ第１部分６ｂと、第２部分６ｃと、を有している。第１部分６ｂは、ボディー２と接続されている。第１部分６ｂの第１方向Ｄ１の端部６ｂａは、段部６ａの端面６ａａを含む。第２部分６ｃは、第１部分６ｂの端部６ｂａから第１方向Ｄ１に突出している。段部６ａは、少なくとも第２部分６ｃの装着方向Ｄ側に設けられている。具体的には、段部６ａは、第２部分６ｃの装着方向Ｄ側と装着方向Ｄの反対方向側とに一つずつ設けられている。ボディー２の底壁部３ｄの外面３ｄａに対する各段部６ａの端面６ａａの第１方向Ｄ１の位置は、互いに同じである。第１部分６ｂは、ベース部とも称され、第２部分６ｃは、突出部とも称される。底壁部３ｄの外面３ｄａは、基準部とも称される。
【００２９】
このような構成のコネクタ１では、第１端部３ａから第２端部３ｂに向かう装着方向Ｄに沿って第１端部３ａから第２端部３ｂへ向かって移動する外部コネクタ５００（図７）が装着される。具体的には、外部コネクタ５００の先端部が、収容部３ｃに収容されて絶縁部材４とシェル３とに挟まれる。このとき、爪３ｈが外部コネクタ５００を絶縁部材４に向けて弾性的に押す。すなわち、コネクタ１と外部コネクタ５００とは、嵌め合いによって結合される。また、コネクタ１に外部コネクタ５００が装着された状態では、コネクタ１の複数の端子部材５と外部コネクタ５００の複数の端子部材（不図示）とが接触している。すなわち、コネクタ１の複数の端子部材５が外部コネクタ５００と電気的に接続する。
【００３０】
＜電子機器＞
次に、図７〜図１１を参照して、コネクタ１が設けられた電子機器１０を説明する。
【００３１】
図７は、実施形態の電子機器１０の正面側からの例示的な斜視図であって、ディスプレイ部３３が展開位置に位置された状態の図である。図８は、実施形態の電子機器１０の例示的な側面図であって、ディスプレイ部３３が閉じ位置に位置された状態の図である。
【００３２】
図７および図８に示されるように、電子機器１０は、例えば、ノートブック型（クラムシェル型）のパーソナルコンピュータとして構成され、ベース部３２と、ディスプレイ部３３と、を備えている。ベース部３２は、例えば机や、台、棚等の載置部１００の平面１００ａ（図８）に載置される。ディスプレイ部３３は、ベース部３２に対して回転中心軸Ｃ回りに回転可能にベース部３２に支持され、展開位置（図７）と閉じ位置（図８）との間を移動可能である。具体的には、ディスプレイ部３３は、ヒンジ３５を介してベース部３２に連結されている。なお、電子機器１０は、上記例には限定されず、例えば、デスクトップ型のパーソナルコンピュータや、スレート型（タブレット型）のパーソナルコンピュータ、スマートフォン、携帯電話、映像表示装置、テレビジョン受像機、ゲーム機、記憶装置等であってもよい。
【００３３】
また、実施形態では、便宜上、互いに直交する三方向が定義されている。Ｘ方向は、ベース部３２の奥行方向（前後方向、短手方向）に沿い、Ｙ方向は、ベース部３２の幅方向（左右方向、長手方向）に沿い、Ｚ方向は、ベース部３２の高さ方向（上下方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００３４】
ベース部３２は、第１筐体１１と、第１筐体１１に支持されたキーボード１２と、を有している。キーボード１２は、上方から操作可能な状態に第１筐体１１に支持されている。また、第１筐体１１内には、基板５０（図９）が収容されている。基板５０には、ＣＰＵ（Central  Processing  Unit）や、ＲＯＭ（Read  Only  Memory）、ＲＡＭ（Random  Access  Memory）、コネクタ１（図９）等の複数の電子部品が実装されている。基板５０に設けられた配線と基板５０に取り付けられた複数の電子部品とによって、電子機器１０の電子回路の少なくとも一部が構成されている。
【００３５】
ディスプレイ部３３は、第２筐体２１と、ディスプレイユニット２２と、を有している。ディスプレイユニット２２は、表示画面２２ａが前方から視認可能な状態に、第２筐体２１に支持されている。
【００３６】
ディスプレイ部３３（第２筐体２１）が展開位置（図７）に位置した状態では、第１筐体１１の上面１１ａおよびキーボード１２と、第２筐体２１の前面２１ａおよびディスプレイユニット２２の表示画面２２ａとが対向せず、第１筐体１１の上面１１ａ、キーボード１２、第２筐体２１の前面２１ａ、ディスプレイユニット２２の表示画面２２ａが露出する。このとき、第２筐体２１の前面２１ａおよび後面２１ｂは、それぞれ、前方および後方を向く。
【００３７】
一方、ディスプレイ部３３（第２筐体２１）が閉じ位置（図８）に位置した状態では、第１筐体１１の上面１１ａおよびキーボード１２と、第２筐体２１の前面２１ａおよびディスプレイユニット２２の表示画面２２ａとが対向する。
【００３８】
第１筐体１１の形状は、上下方向に扁平な略直方体である。第１筐体１１は、例えば、下壁１１ｃや、上壁１１ｄ、前壁１１ｅ、後壁１１ｆ、左壁１１ｇ、右壁１１ｈ等の複数の壁を有している。
【００３９】
下壁１１ｃは、下面１１ｂを含み、上壁１１ｄは、上面１１ａを含む。下壁１１ｃおよび上壁１１ｄは、いずれも、Ｚ方向と直交する方向（ＸＹ平面）に沿って延びており、Ｚ方向に間隔をあけて互いに平行に設けられている。下壁１１ｃには、第１筐体１１を載置部１００の平面１００ａから離間した状態に支持する複数の支持部材４３（図８）が設けられている。支持部材４３は、脚やゴム脚等とも称される。
【００４０】
前壁１１ｅおよび後壁１１ｆは、いずれも、Ｘ方向と直交する方向（ＹＺ平面）に沿って延びており、Ｘ方向に間隔をあけて互いに平行に設けられている。前壁１１ｅおよび後壁１１ｆは、それぞれ、第１筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。
【００４１】
左壁１１ｇおよび右壁１１ｈは、いずれも、Ｙ方向と直交する方向（ＸＺ平面）に沿って延びており、Ｙ方向に間隔をあけて互いに平行に設けられている。左壁１１ｇおよび右壁１１ｈは、それぞれ、第１筐体１１の左端部１１ｋおよび右端部１１ｍを構成している。
【００４２】
また、第１筐体１１には、四つの角部１１ｎａ〜１１ｎｄが設けられている。角部１１ｎａは、前壁１１ｅと左壁１１ｇとの交差部によって構成されている。角部１１ｎｂは、左壁１１ｇと後壁１１ｆとの交差部によって構成されている。角部１１ｎｃは、後壁１１ｆと右壁１１ｈとの交差部によって構成されている。角部１１ｎｄは、右壁１１ｈと前壁１１ｅとの交差部によって構成されている。
【００４３】
また、第１筐体１１は、ロアカバー１３と、アッパーカバー１４と、を含む複数の部材の組み合わせによって構成されている。ロアカバー１３は、少なくとも下壁１１ｃを含む。アッパーカバー１４は、少なくとも上壁１１ｄを含む。
【００４４】
また、図８に示されるように、第１筐体１１の右壁１１ｈには、孔１１ｈａが設けられている。孔１１ｈａは、右壁１１ｈを貫通している。孔１１ｈａは、開口部とも称される。孔１１ｈａからコネクタ１が露出する。
【００４５】
図９は、実施形態の電子機器１０における基板５０に対するコネクタ１の第１取付態様を例示的に示す図である。図１０は、実施形態の電子機器１０における基板５０に対するコネクタ１の第２取付態様を例示的に示す図である。
【００４６】
電子機器１０の基板５０の一面５０ｆには、コネクタ１が、図９に示される第１取付態様または図１０に示される第２取付態様で取り付けられている。コネクタ１は、第１取付態様および第２取付態様のいずれにおいても、コネクタ１は、底壁部３ｄの外面３ｄａ（底面）が基板５０の一面５０ｆと対向するように、一面５０ｆに取り付けられる。一面５０ｆは、Ｚ方向に向いている。
【００４７】
図９に示されるように、第１取付態様は、基板５０の一面５０ｆに対してコネクタ１に対する外部コネクタ５００の装着方向Ｄが傾斜する取付態様である。より詳細には、第１取付態様は、段部６ａの端面６ａａが一面５０ｆに支持され、装着方向Ｄの反対方向に向かうにつれてボディー２が一面５０ｆから遠ざかるようにコネクタ１が一面５０ｆに取り付けられた取付態様である。この第１取付態様では、電子機器１０が平面１００ａに載置された場合、外部コネクタ５００は、コネクタ１に斜め上方から挿入される。また、外部コネクタ５００は、コネクタ１から斜め上方に外される。第１取付態様は、勾配実装とも称される。
【００４８】
図１０に示されるように、第２取付態様は、基板５０の一面５０ｆと装着方向Ｄとが平行となる取付態様である。より詳細には、第２取付態様は、段部６ａの端面６ａａが一面５０ｆに支持され、装着方向Ｄと基板５０の厚さ方向とが直交するようにコネクタ１が一面５０ｆに取り付けられた取付態様である。この第１取付態様では、電子機器１０が平面１００ａに載置された場合、外部コネクタ５００は、コネクタ１に平面１００ａと平行な方向に挿脱される。第２取付態様は、平行実装とも称される。
【００４９】
次に、基板５０について詳細に説明する。図１１は、実施形態の電子機器１０における基板５０の例示的な平面図である。
【００５０】
図９〜図１１に示されるように、基板５０は、コネクタ１が取り付けられた一面５０ｆと、一面５０ｆの反対側の他面５０ｇ（図９，１０）を有している。また、基板５０には、四つの脚部６Ａ，６Ｂ，６Ｃ，６Ｄが入れられた四つの孔５０ａ，５０ｂ，５０ｃ，５０ｄが設けられている。四つの孔５０ａ，５０ｂ，５０ｃ，５０ｄは、基板５０の厚さ方向に基板５０を貫通している。すなわち、四つの孔５０ａ，５０ｂ，５０ｃ，５０ｄは、基板５０の一面５０ｆおよび他面５０ｇに開口している。
【００５１】
図１１に示されるように、二つの脚部６Ａ，６Ｂが入れられた二つの孔５０ａ，５０ｂと、二つの脚部６Ｃ，６Ｄが入れられた二つの孔５０ｃ，５０ｄとは、一面５０ｆに沿いかつ幅方向Ｗと交差するＹ方向に間隔をあけて並んでいる。孔５０ａ，５０ｂ，５０ｃ，５０ｄは、それぞれ、Ｙ方向を長手方向とする長孔である。ただし、Ｙ方向における孔５０ａ，５０ｂの長さは、Ｙ方向における孔５０ｃ，５０ｄの長さよりも短い。二つの孔５０ａ，５０ｂは、第１孔の一例であり、二つの孔５０ｃ，５０ｄは、第２孔の一例である。Ｙ方向は、第２方向の一例である。
【００５２】
脚部６Ａ，６Ｂ，６Ｃ，６Ｄは、一面５０ｆにおける孔５０ａ，５０ｂ，５０ｃ，５０ｄの周囲の部分および孔５０ａ，５０ｂ，５０ｃ，５０ｄ内に設けられた半田（不図示）によって基板５０に固定されている。
【００５３】
また、基板５０には、コネクタ１の複数の端子部材５が入れられた複数の孔５０ｅが設けられている。複数の端子部材５は、一面５０ｆにおける孔５０ａ，５０ｂ，５０ｃ，５０ｄの周囲の部分に設けられた配線（不図示）に半田（不図示）によって接続されている。
【００５４】
以上のように、実施形態のコネクタ１は、例えば、外部コネクタ５００（他のコネクタ）が装着されるボディー２と、ボディー２に支持され外部コネクタ５００と電気的に接続される端子部材５と、ボディー２から第１方向Ｄ１に突出した四つの脚部６Ａ，６Ｂ，６Ｃ，６Ｄと、を備えている。四つの脚部６Ａ，６Ｂ，６Ｃ，６Ｄは、第１方向Ｄ１からの視線で、それぞれが四角形Ｑの四つの頂点Ｑａ，Ｑｂ，Ｑｃ，Ｑｄに位置するように設けられている。四角形Ｑのある辺Ｑｅの両端部に位置する二つの脚部６Ａ，６Ｂ（第１脚部）のそれぞれに、第１方向Ｄ１を向いた端面６ａａ（部分）を有した段部６ａが設けられている。
【００５５】
このような構成によれば、例えば、コネクタ１は、基板５０に対する複数の取付態様（第１取付態様、第２取付態様）に対応することができる。
【００５６】
また、実施形態のコネクタ１では、例えば、ボディー２は、第１端部３ａと、第１端部３ａの反対側の第２端部３ｂと、を有している。ボディー２には、第１端部３ａから第２端部３ｂに向かう装着方向Ｄに沿って第１端部３ａから第２端部３ｂへ向かって移動する外部コネクタ５００が装着される。第１方向Ｄ１は、装着方向Ｄと交差するボディー２の幅方向Ｗおよび装着方向Ｄと交差する。二つの脚部６Ａ，６Ｂは、ボディー２の幅方向Ｗに互いに間隔を空けて並んでいる。四つの脚部６Ａ，６Ｂ，６Ｃ，６Ｄのうち二つの脚部６Ａ，６Ｂ以外の二つの脚部６Ｃ，６Ｄ（第２脚部）は、二つの脚部６Ａ，６Ｂよりも装着方向Ｄに位置し、幅方向Ｗに互いに間隔を空けて並んでいる。
【００５７】
このような構成によれば、例えば、コネクタ１は、基板の一面５０ｆに対して装着方向Ｄが傾斜する第１取付態様と、基板の一面５０ｆに対して装着方向Ｄが平行となる第２取付態様とに対応することができる。
【００５８】
また、実施形態のコネクタ１では、例えば、二つの脚部６Ａ，６Ｂは、それぞれ、段部６ａを含みボディー２と接続された第１部分６ｂと、第１部分６ｂの第１方向Ｄ１の端部６ｂａから第１方向Ｄ１に突出した第２部分６ｃと、を有している。
【００５９】
このような構成によれば、例えば、比較的簡素な構成により段部６ａを形成することができる。
【００６０】
また、実施形態のコネクタ１では、例えば、段部６ａは、少なくとも第２部分６ｃの装着方向Ｄ側に設けられている。
【００６１】
このような構成によれば、例えば、コネクタ１は、第２部分６ｃの装着方向Ｄとは反対方向側だけに段部６ａが設けられた構成に比べて、基板５０の一面５０ｆに対する装着方向Ｄの角度を大きくしやすい。
【００６２】
また、実施形態の電子機器１０は、例えば、コネクタ１と、コネクタ１が取り付けられた一面５０ｆを有し、一面５０ｆに開口し四つの脚部６Ａ，６Ｂ，６Ｃ，６Ｄが入れられた四つの孔５０ａ，５０ｂ，５０ｃ，５０ｄが設けられた基板５０（部材）と、を備えている。
【００６３】
このような構成によれば、基板５０に対する複数の取付態様のうち一つの取付態様で基板に取り付けられたコネクタ１を備えた電子機器１０が得られる。
【００６４】
また、実施形態の電子機器１０では、例えば、段部６ａの端面６ａａが一面５０ｆに支持され、装着方向Ｄの反対方向に向かうにつれてボディー２が一面５０ｆから遠ざかるようにコネクタ１が一面５０ｆに取り付けられる（図９）。
【００６５】
このような構成によれば、例えば、装着方向Ｄが基板５０の一面５０ｆに対して傾斜するので、電子機器１０が平面１００ａに載置された場合でも、コネクタ１に対する外部コネクタ５００の挿脱がしやすい。
【００６６】
また、電子機器１０では、例えば、段部６ａの端面６ａａが一面５０ｆに支持され、装着方向Ｄと基板５０の厚さ方向とが直交するようにコネクタ１が一面５０ｆに取り付けられる（図１０）。
【００６７】
このような構成によれば、例えば、装着方向Ｄが基板５０の一面５０ｆと平行になるので、電子機器１０の薄型化がしやすい。
【００６８】
また、電子機器１０では、例えば、二つの脚部６Ａ，６Ｂが入れられた二つの孔５０ａ，５０ｂ（第１孔）と、二つの脚部６Ｃ，６Ｄが入れられた二つの孔５０ｃ，５０ｄ（第２孔）とは、一面５０ｆに沿いかつ幅方向Ｗと交差するＹ方向（第２方向）に間隔をあけて並んでいる。Ｙ方向における孔５０ａ，５０ｂの長さは、Ｙ方向における孔５０ｃ，５０ｄの長さよりも短い。
【００６９】
このような構成によれば、例えば、電子機器１０の製造時に、基板５０における孔５０ａ，５０ｂの周囲の部分に段部６ａを引っ掛けやすい。
【００７０】
なお、上記実施形態では、コネクタ１において、段部６ａが、第２部分６ｃの装着方向Ｄ側と装着方向Ｄの反対方向側との両方に設けられたが、これに限定されない。例えば、段部６ａは、第２部分６ｃの装着方向Ｄ側と装着方向Ｄの反対方向側とのいずれか一方だけに設けられていてもよい。また、上記実施形態では、段部６ａが、第２部分６ｃの装着方向Ｄ側と装着方向Ｄの反対方向側とに一つずつ設けられた例が示されたが、これに限定されない。例えば、段部６ａは、第２部分６ｃの装着方向Ｄ側と装着方向Ｄの反対方向側とにそれぞれ複数設けられていてもよい。
【００７１】
また、上記実施形態では、コネクタ１が脚部として四つの脚部６Ａ、６Ｂ、６Ｃ、６Ｄだけを備えた例が示されたが、これに限定されない。例えば、コネクタ１は、四つの脚部６Ａ、６Ｂ、６Ｃ、６Ｄの他に、別の脚部を備えていていもよい。
【００７２】
また、上記実施形態では、コネクタ１が取り付けられる部材として基板５０の例が示されたが、これに限定されない。例えば、コネクタ１が取り付けられる部材は、記憶装置等の電子部品であってもよい。
【００７３】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００７４】
１…コネクタ、２…ボディー、３ａ…第１端部、３ｂ…第２端部、５…端子部材、６Ａ，６Ｂ…脚部（第１脚部）、６Ｃ，６Ｄ…脚部（第２脚部）、６ａ…段部、６ａａ…端面（部分）、６ｂ…第１部分、６ｂａ…端部、６ｃ…第２部分、１０…電子機器、５０…基板（部材）、５０ｆ…一面、５０ａ，５０ｂ，５０ｃ，５０ｄ…孔、５００…外部コネクタ（他のコネクタ）、Ｄ…装着方向、Ｄ１…第１方向、Ｑ…四角形、Ｑａ，Ｑｂ，Ｑｃ，Ｑｄ…頂点、Ｑｅ，Ｑｆ，Ｑｇ，Ｑｈ…辺、Ｗ…幅方向。
【図１】
2020136221.tif 000003
【図２】
2020136221.tif 000004
【図３】
2020136221.tif 000005
【図４】
2020136221.tif 000006
【図５】
2020136221.tif 000007
【図６】
2020136221.tif 000008
【図７】
2020136221.tif 000009
【図８】
2020136221.tif 000010
【図９】
2020136221.tif 000011
【図１０】
2020136221.tif 000012
【図１１】
2020136221.tif 000013
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
第１端部と、前記第１端部の反対側の第２端部と、第１方向を向いた外面と、を有し、前記第１端部から前記第２端部に向かう装着方向に沿って前記第１端部から前記第２端部へ向かって移動する他のコネクタが装着されるボディーと、
前記ボディーに支持され前記他のコネクタと電気的に接続される端子部材と、
前記第１方向からの視線で、それぞれが四角形の四つの頂点に位置するように設けられ、前記ボディーから前記第１方向に突出した四つの脚部と、
を備え、
前記第１方向は、前記装着方向と交差する前記ボディーの幅方向および前記装着方向と交差し、
前記四角形のある辺の両端部に位置する二つの前記脚部である二つの第１脚部は、それぞれ、前記第１方向を向きかつ前記装着方向に沿った端面を有した段部を含み前記ボディーと接続された第１部分と、前記第１部分の前記第１方向の端部から前記第１方向に突出した第２部分と、を有し、前記ボディーの幅方向に互いに間隔を空けて並び、
前記段部は、各前記第１脚部において前記第２部分の前記装着方向側と前記装着方向の反対方向側とに一つずつ設けられ、
前記外面に対する各前記段部における前記端面の前記第１方向の位置は、互いに同じであり、
前記四つの脚部のうち前記二つの第１脚部以外の二つの前記脚部である二つの第２脚部は、前記二つの第１脚部よりも前記装着方向に位置し、前記幅方向に互いに間隔を空けて並んだ、コネクタ。
【請求項２】
請求項１に記載のコネクタと、
前記コネクタが取り付けられた一面を有し、前記一面に開口し前記四つの脚部が入れられた四つの孔が設けられた部材と、
を備えた電子機器。
【請求項３】
前記段部の前記端面が前記一面に支持され、前記装着方向の反対方向に向かうにつれて前記ボディーが前記一面から遠ざかるように前記コネクタが前記一面に取り付けられた、請求項２に記載の電子機器。
【請求項４】
前記段部の前記端面が前記一面に支持され、前記装着方向と前記部材の厚さ方向とが直交するように前記コネクタが前記一面に取り付けられた、請求項２に記載の電子機器。
【請求項５】
前記二つの第１脚部が入れられた二つの前記孔である第１孔と、前記二つの第２脚部が入れられた前記二つの孔である二つの第２孔とは、前記一面に沿いかつ前記幅方向と交差する第２方向に間隔をあけて並び、
前記第２方向における前記第１孔の長さは、前記第２方向における前記第２孔の長さよりも短い、請求項２〜４のうちいずれか一つに記載の電子機器。
【手続補正２】
【補正対象書類名】明細書
【補正対象項目名】０００６
【補正方法】変更
【補正の内容】
【０００６】
本発明の第１態様にかかるコネクタは、例えば、第１端部と、前記第１端部の反対側の第２端部と、第１方向を向いた外面と、を有し、前記第１端部から前記第２端部に向かう装着方向に沿って前記第１端部から前記第２端部へ向かって移動する他のコネクタが装着されるボディーと、前記ボディーに支持され前記他のコネクタと電気的に接続される端子部材と、前記第１方向からの視線で、それぞれが四角形の四つの頂点に位置するように設けられ、前記ボディーから前記第１方向に突出した四つの脚部と、を備え、前記第１方向は、前記装着方向と交差する前記ボディーの幅方向および前記装着方向と交差し、前記四角形のある辺の両端部に位置する二つの前記脚部である二つの第１脚部は、それぞれ、前記第１方向を向きかつ前記装着方向に沿った端面を有した段部を含み前記ボディーと接続された第１部分と、前記第１部分の前記第１方向の端部から前記第１方向に突出した第２部分と、を有し、前記ボディーの幅方向に互いに間隔を空けて並び、前記段部は、各前記第１脚部において前記第２部分の前記装着方向側と前記装着方向の反対方向側とに一つずつ設けられ、前記外面に対する各前記段部における前記端面の前記第１方向の位置は、互いに同じであり、前記四つの脚部のうち前記二つの第１脚部以外の二つの前記脚部である二つの第２脚部は、前記二つの第１脚部よりも前記装着方向に位置し、前記幅方向に互いに間隔を空けて並んでいる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】